(57)【要約】【課題】工作機械の定期交換すべき消耗部品の保守および発注業務を、工作機械のオペレータが工場等の工作機械の使用現場で容易かつ確実に行えるようにする。【解決手段】工作機械２０の制御装置１０が、消耗部品の消耗度合いを演算部し、消耗部品と、その消耗度合いとを表示する保守画面内に消耗部品の交換方法を表示させるための参照釦４２と、消耗部品を発注する購入釦３８とが表示される。制御装置は、工作機械の供給元のサービスシステム１００とインターネットを介して接続され、サービスシステム１００から受信した消耗部品の交換方法と、サービスシステムの部品発注画面とを表示する。【選択図】図１
2017182754.tif 000002
【特許請求の範囲】
【請求項１】
工作機械の制御を行うと共に、消耗部品の保守管理を行う工作機械の制御装置において、
工作機械の交換すべき消耗部品の消耗度合いを求める消耗度合い演算部と、
消耗部品とその消耗度合いとを表示する保守画面内に、消耗部品の交換方法を表示させる参照釦と、消耗部品を発注する購入釦の少なくとも一方を表示する表示部と、
前記表示部の保守画面の参照釦または購入釦をタップまたはクリックしたときに、工作機械の保守情報を記憶したサービスシステムと通信回線を介して接続され、前記表示部の画面に前記サービスシステムから受信した消耗部品の交換方法を表示させる、或いは、前記サービスシステムの部品発注画面を表示させる消耗部品保守管理部と、
を具備することを特徴とした工作機械の制御装置。
【請求項２】
前記サービスシステムは、前記消耗部品保守管理部からの指示に従って、消耗部品の名称、交換時間、交換方法等の消耗部品に関連した保守情報を前記消耗部品保守管理部へ送出する保守情報管理部を含む請求項１に記載の工作機械の制御装置。
【請求項３】
前記サービスシステムは、前記消耗部品保守管理部から受信した部品コード（部品名）、その個数、受注日を記憶する部品受注管理部を含む請求項２に記載の工作機械の制御装置。
【請求項４】
前記サービスシステムは、受注した部品を顧客へ向けて発送する工程を管理し、顧客が通信回線を通じてアクセスしたときに、発送の状況を顧客へ提供する部品発送管理部を含む請求項３に記載の工作機械の制御装置。
【発明の詳細な説明】
【技術分野】
【０００１】
本発明は、工作機械の定期交換すべき消耗部品の保守および発注業務を、工作機械のオペレータが工場等の工作機械の使用現場で容易かつ確実に行えるようにした工作機械の制御装置に関する。
【背景技術】
【０００２】
放電加工機、レーザー加工機、マシニングセンタ等の工作機械は、定期的に点検し消耗部品の交換を行うことが必要である。従来から定期保守はＮＣ装置の点検報知機能を用いて実施されている。また、一定期間毎の点検の実施、点検内容および作業手順は、オペレータが保守マニュアルを参照しながら実施している。
【０００３】
工作機械の使用現場では、工作機械のオペレータが変わると、保守作業手順や調整方法のノウハウは後任のオペレータに受け継がれないことがあり、保守作業が正しく実施されなくなる。また、年月が経過すると保守マニュアルが紛失したり、消耗部品の型番が変更になっていたりして、必要な保守が実施されなくなることもある。
【０００４】
また、消耗部品の購入は、工作機械供給元の最寄りのコールセンターに電話またはFAXで発注されるが、電話では口頭での発注であり、FAXでは送付表記の過誤が生じる可能性がる。消耗部品の誤発注や誤手配が生じると、メンテナンス作業が計画通りに実施できなくなる。
【０００５】
特許文献１には、使用者側で生じる異常情報を供給者側で管理でき、使用者に対し予防措置の実施を促すようにした保守管理システムが開示されている。この保守管理システムでは、複数の工作機械と使用者管理装置とが接続され、複数の使用者管理装置が供給者管理装置にネットワークを介し接続される。工作機械の制御装置は、駆動部に関する信号や制御装置の内部信号が異常である否かを検出し、異常信号に対応する異常情報を使用者管理装置に送信する。使用者管理装置は、工作機械の制御装置が検出した異常情報を供給者管理装置に送信する。供給者管理装置は、使用者管理装置から受信した異常情報を解析して、該異常情報に応じた支援情報を生成し、生成した支援情報を使用者管理装置に送信する。
【先行技術文献】
【特許文献】
【０００６】
【特許文献１】特開２００２−２８３１９０号公報
【発明の概要】
【発明が解決しようとする課題】
【０００７】
特許文献１の発明は故障診断システムであり、工作機械の予防保守のシステムではなく、工作機械の故障を未然に防止することはできない。また、故障が発生したときに、必要な交換部品や交換方法をオペレータに提供することはなく、また、交換部品の発注を行うことはできない。
【０００８】
本発明は、こうした従来技術の問題を解決することを技術課題としており、工作機械の定期交換すべき消耗部品の保守および発注業務を、オペレータが工場等の工作機械の使用現場で容易かつ確実に行えるようにした工作機械の制御装置を提供することを目的としている。
【課題を解決するための手段】
【０００９】
上述の目的を達成するために、本発明によれば、工作機械の制御を行うと共に、消耗部品の保守管理を行う工作機械の制御装置において、工作機械の交換すべき消耗部品の消耗度合いを求める消耗度合い演算部と、消耗部品とその消耗度合いとを表示する保守画面内に、消耗部品の交換方法を表示させる参照釦と、消耗部品を発注する購入釦の少なくとも一方を表示する表示部と、前記表示部の保守画面の参照釦または購入釦をタップまたはクリックしたときに、工作機械の保守情報を記憶したサービスシステムと通信回線を介して接続され、前記表示部の画面に前記サービスシステムから受信した消耗部品の交換方法を表示させる、或いは、前記サービスシステムの部品発注画面を表示させる消耗部品保守管理部とを具備する工作機械の制御装置が提供される。
【発明の効果】
【００１０】
本発明によれば、工作機械の定期交換すべき消耗部品の保守および発注業務を、オペレータが工場等の工作機械の使用現場で容易かつ確実に行えるようになる。
【図面の簡単な説明】
【００１１】
【図１】本発明の好ましい実施形態を示すブロック図である。
【図２】表示部に表示される消耗部品管理画面の一例を示す図である。
【図３】表示部に表示される部品発注画面の一例を示す図である。
【発明を実施するための形態】
【００１２】
以下、添付図面を参照して、本発明の好ましい実施形態を説明する。
図１において、工作機械２０の制御装置１０は、工作機械の送り軸（図示せず）や主軸の回転、ワイヤ放電加工機のワイヤの走行速度、レーザー加工機のレーザーの発振等基本機能を有する（本実施形態では図示せず）制御と共に、定期交換すべき消耗部品の保守および発注業務を行う機能をソフトウェア的に付加構成したものである。制御装置１０は、表示部１２、消耗部品保守管理部１４および消耗度合演算部１６を主要な構成要素として具備している。
【００１３】
表示部１２は、例えば工作機械２０に付属しＮＣ装置に接続された制御盤（図示せず）に通常設けれているタッチパネルとすることができる。或いは、表示部１２は制御盤とは別に工作機械２０にタッチパネル等を別設して形成することができる。
【００１４】
消耗部品保守管理部１４は、例えば工作機械２０の供給元のサービスシステム１００とインターネットなどの通信回線を介して接続することができ、前記供給元のサービスシステム１００から消耗部品の交換方法等の保守情報を受信して表示部１２に表示したり、サービスシステム１００の部品発注画面を表示部１２に表示させる。サービスシステム１００は、工作機械の供給元が構築するのではなく、保守サービス専門の会社が構築するようにもできる。
【００１５】
消耗度合演算部１６は、各消耗部品について最後に交換されてから経過した期間を積算し、これを各消耗部品について予め決められている交換時間に対する比率を演算して、表示部１２に表示させる。
【００１６】
工作機械の供給元のサービスシステム１００は、保守情報管理部１０２、部品受注管理部１０４、部品発送管理部１０６およびパーツセンター管理部１０８を主要な構成要素として具備している。
【００１７】
保守情報管理部１０２は、消耗部品保守管理部１４からの指示に従って、保守情報データベース１１０にアクセスして、消耗部品に関連した保守情報を保守情報管理部１０２へ送出する。保守情報には、消耗部品の名称、交換時間、交換方法等が含まれる。
【００１８】
部品受注管理部１０４は、消耗部品保守管理部１４から受信した部品コード（部品名）や、その個数、受注日等を記憶する。部品発送管理部１０６は、受注日からの経過日数や、パーツセンター１１２から発送された商品（消耗部品）が顧客へ到達するまでの各段階を監視する。部品発送管理部１０６は、また、工作機械の供給元消耗部品が発送されたのか否か、供給元消耗部品の発送の状況等を工作機械２０のオペレータが問い合わせてきたときに、オペレータの問い合わせに回答する。
【００１９】
パーツセンター管理部１０８は、工作機械２０のオペレータが注文した消耗部品がパーツセンター１１２に在庫として有るのか否か、在庫がない場合に何時入荷するのか等を管理する。
【００２０】
図２を参照すると、表示部１２に表示される画面の一例として消耗部品管理画面３０が示されている。消耗部品管理画面３０は、機能選択領域３２、部品消耗率表示領域３４、消耗部品の経過時間表示領域３６、購入釦３８、保守方法表示領域４０および参照釦４２を含む。機能選択領域３２には、消耗部品管理画面３０に表示されるカテゴリーを選択するための釦が項目名と共に表示される。オペレータが、機能選択領域３２内の消耗部品管理釦をタップまたはクリックすることによって、図２の消耗部品管理画面３０が表示される。
【００２１】
部品消耗率表示領域３４には、各消耗部品について最後に交換されてから経過した期間が、各消耗部品について予め決められている交換時間に対する比率の形式で表示される。部品消耗率表示領域３４に表示される消耗部品名をタップまたはクリックして選択すると、当該消耗部品の経過時間表示領域３６に最終点検日、運転時間および経過時間が表示される。
【００２２】
参照釦４２をタップまたはクリックすると、保守方法表示領域４０に保守方法が、主要な工程に分けて図解（図２では３つの四角ブランクで示されている）付きで表示される。保守方法には、交換時間や使用工具等のテキスト情報が含まれる。保守方法を動画で示すと一目瞭然なものについては、動画を表示させることができる。また、工作機械ユーザに当初配布した保守マニュアルに記載した保守方法が改訂された場合、消耗部品が製造中止で代替品に変更された場合等、最新の保守方法を閲覧することができる。
【００２３】
購入釦３８をタップまたはクリックすると、部品消耗率表示領域３４で選択した消耗部品に関連して図３の部品発注画面５０が表示される。部品発注画面５０は、部品の画像表示領域５２、部品情報表示領域５４、発注情報表示領域５６を含む。部品画像表示領域５２には、部品消耗率表示領域３４で選択した部品の写真画像が表示される。
【００２４】
部品情報表示領域５４には、部品名、部品コード、部品の形式等の情報がテキスト表示される。発注情報表示領域５６には、当該部品に関する情報が、部品コード、部品名、個数、単価、在庫、規格・材質、備考の項目に分けて表示される。特に備考欄には、発注方法として、発注情報表示領域５６に表示されるチェックボックスにチェックマークを入れる、或いは、番号バルーン５２ａをタップまたはクリックすることを表示するようにできる。
【００２５】
オペレータが、消耗部品管理画面３０の購入釦３８をタップまたはクリックして部品情報表示領域５４を表示部１２に表示させ、購入すべき消耗部品の個数やコスト等を確認した後に、適当な方法にて発注を行うと、発注情報表示領域５６に表示された情報が顧客情報と共に、消耗部品保守管理部１４からインターネットを介して工作機械の供給元のサービスシステム１００へ送信される。サービスシステム１００では、部品受注管理部１０４にて受信され、発注者名、送付先住所等の顧客情報と共に部品情報がパーツセンター１１２へ送信される。
【００２６】
パーツセンター１１２では、受け取った部品情報と顧客情報に基づき、顧客が指定する発送先住所へ向けて部品を発送する。部品の発送状況は、パーツセンター１１２からサービスシステム１００の部品発送管理部１０６へ逐次出力される。当該部品を発注した顧客は、インターネットを介してサービスシステム１００の部品発送管理部１０６へアクセスすることによって、注文した部品の発送状況を何時でも確認することができる。
【００２７】
消耗部品の例としては、放電加工機では、加工液、加工液フィルタ、給電板、加工液ノズル、電極、イオン交換樹脂、ワイヤ電極ガイド等があり、ウォータジェットレーザ加工機では、ウォータジェットノズル、高圧ポンプ、光学ヘッドのカップリングコアメンテナンス等があり、マシニングセンタでは、主軸潤滑油、切削液フィルタ、軸受用グリス、Ｏリングなどの各種シール部材等がある。また、これら消耗部品を交換するための専用工具や治具、洗浄剤も本発明では消耗部品と見なしている。
【符号の説明】
【００２８】
１０    制御装置
１２    表示部
１４    消耗部品保守管理部
１６    消耗度合演算部
２０    工作機械
３０    消耗部品管理画面
３８    購入釦
４２    参照釦
５０    部品発注画面
１００    サービスシステム
１０２    保守情報管理部
１０４    部品受注管理部
１０６    部品発送管理部
１０８    パーツセンター管理部
１１０    保守情報データベース
１１２    パーツセンター
【図１】
2017182754.tif 000003
【図２】
2017182754.tif 000004
【図３】
2017182754.tif 000005
【手続補正書】
【提出日】平成29年5月23日(2017.5.23)
【手続補正１】
【補正対象書類名】明細書
【補正対象項目名】０００９
【補正方法】変更
【補正の内容】
【０００９】
上述の目的を達成するために、本発明によれば、工作機械の制御を行うと共に、消耗部品の保守管理を行う工作機械の制御装置において、工作機械のユーザ側に設けられ、工作機械の交換すべき消耗部品の消耗度合いを求める消耗度合い演算部と、工作機械のユーザ側に設けられ、消耗部品とその消耗度合いとを表示する保守画面内に、消耗部品の交換方法を表示させる参照釦と、消耗部品を発注する購入釦の少なくとも一方を表示する表示部と、消耗部品を供給する供給元のサービスシステムであって、消耗部品の名称や交換方法の保守情報を記憶した保守情報データベースを有したサービスシステムと、工作機械のユーザ側に設けられ、前記表示部の保守画面の参照釦または購入釦をタップまたはクリックしたときに、前記サービスシステムと通信回線を介して接続され、前記表示部の画面に前記サービスシステムから受信した消耗部品の交換方法を表示させる、或いは、前記サービスシステムの部品発注画面を表示させる消耗部品保守管理部とを具備する工作機械の制御装置が提供される。
【手続補正２】
【補正対象書類名】特許請求の範囲
【補正対象項目名】全文
【補正方法】変更
【補正の内容】
【特許請求の範囲】
【請求項１】
工作機械の制御を行うと共に、消耗部品の保守管理を行う工作機械の制御装置において、
工作機械のユーザ側に設けられ、工作機械の交換すべき消耗部品の消耗度合いを求める消耗度合い演算部と、
工作機械のユーザ側に設けられ、消耗部品とその消耗度合いとを表示する保守画面内に、消耗部品の交換方法を表示させる参照釦と、消耗部品を発注する購入釦の少なくとも一方を表示する表示部と、
消耗部品を供給する供給元のサービスシステムであって、消耗部品の名称や交換方法の保守情報を記憶した保守情報データベースを有したサービスシステムと、
工作機械のユーザ側に設けられ、前記表示部の保守画面の参照釦または購入釦をタップまたはクリックしたときに、前記サービスシステムと通信回線を介して接続され、前記表示部の画面に前記サービスシステムから受信した消耗部品の交換方法を表示させる、或いは、前記サービスシステムの部品発注画面を表示させる消耗部品保守管理部と、
を具備することを特徴とした工作機械の制御装置。
【請求項２】
前記サービスシステムは、前記消耗部品保守管理部からの指示に従って、消耗部品の名称、交換時間、交換方法等の消耗部品に関連した保守情報を前記消耗部品保守管理部へ送出する保守情報管理部を含む請求項１に記載の工作機械の制御装置。
【請求項３】
前記サービスシステムは、前記消耗部品保守管理部から受信した部品コード（部品名）、その個数、受注日を記憶する部品受注管理部を含む請求項２に記載の工作機械の制御装置。
【請求項４】
前記サービスシステムは、受注した部品を顧客へ向けて発送する工程を管理し、顧客が通信回線を通じてアクセスしたときに、発送の状況を顧客へ提供する部品発送管理部を含む請求項３に記載の工作機械の制御装置。
【手続補正書】
【提出日】平成29年8月7日(2017.8.7)
【手続補正１】
【補正対象書類名】明細書
【補正対象項目名】０００９
【補正方法】変更
【補正の内容】
【０００９】
上述の目的を達成するために、本発明によれば、工作機械の制御を行うと共に、消耗部品の保守管理を行う工作機械の制御装置において、工作機械の交換すべき消耗部品の消耗度合いを求める消耗度合い演算部と、消耗部品とその消耗度合いとを表示する保守画面内に、消耗部品の交換方法を表示させる参照釦と、消耗部品を発注する購入釦とを表示する表示部と、前記表示部の保守画面の参照釦または購入釦をタップまたはクリックしたときに、消耗部品を供給する供給元のサービスシステムであって、消耗部品の名称や交換方法の保守情報を記憶した保守情報データベースを有したサービスシステムと通信回線を介して接続され、前記参照釦をタップまたはクリックしたときに前記表示部の画面に前記サービスシステムから受信した消耗部品の交換方法を表示させ、前記購入釦をタップまたはクリックしたときに前記サービスシステムの部品発注画面を表示させる消耗部品保守管理部とを具備する工作機械の制御装置が提供される。
【手続補正２】
【補正対象書類名】特許請求の範囲
【補正対象項目名】全文
【補正方法】変更
【補正の内容】
【特許請求の範囲】
【請求項１】
工作機械の制御を行うと共に、消耗部品の保守管理を行う工作機械の制御装置において、
工作機械の交換すべき消耗部品の消耗度合いを求める消耗度合い演算部と、
消耗部品とその消耗度合いとを表示する保守画面内に、消耗部品の交換方法を表示させる参照釦と、消耗部品を発注する購入釦とを表示する表示部と、
前記表示部の保守画面の参照釦または購入釦をタップまたはクリックしたときに、消耗部品を供給する供給元のサービスシステムであって、消耗部品の名称や交換方法の保守情報を記憶した保守情報データベースを有したサービスシステムと通信回線を介して接続され、前記参照釦をタップまたはクリックしたときに前記表示部の画面に前記サービスシステムから受信した消耗部品の交換方法を表示させ、前記購入釦をタップまたはクリックしたときに前記サービスシステムの部品発注画面を表示させる消耗部品保守管理部と、
を具備することを特徴とした工作機械の制御装置。
【請求項２】
前記サービスシステムは、前記消耗部品保守管理部からの指示に従って、消耗部品の名称、交換時間、交換方法等の消耗部品に関連した保守情報を前記消耗部品保守管理部へ送出する保守情報管理部を含む請求項１に記載の工作機械の制御装置。
【請求項３】
前記サービスシステムは、前記消耗部品保守管理部から受信した部品コード（部品名）、その個数、受注日を記憶する部品受注管理部を含む請求項２に記載の工作機械の制御装置。
【請求項４】
前記サービスシステムは、受注した部品を顧客へ向けて発送する工程を管理し、顧客が通信回線を通じてアクセスしたときに、発送の状況を顧客へ提供する部品発送管理部を含む請求項３に記載の工作機械の制御装置。